(57)【要約】【課題】出し入れが容易で使用時の安定性も良好な安価で使い勝手の良い走行式載置トレイ及び走行式体重計を提供すること。【解決手段】走行式載置トレイ１は、載置物Ａを使用可能な状態で直接載置するトレイ本体３と、載置物Ａを載置した状態でトレイ本体３を走行可能な状態で支持する走行輪１７と、トレイ本体３に設定荷重以上の負荷が掛かるとトレイ本体３を押し下げて床面Ｆに接地させる付勢手段１５とを備えている。また本発明の走行式体重計３１は、床面Ｆ側に位置する基体部３３と、計量部３５を挟んで基体部３３の上面を覆うように昇降自在に設けられるカバー部３７とを備え、基体部３３には走行可能な状態で体重計を支持する走行輪１７と、体重計に設定荷重以上の負荷が掛かると体重計を押し下げて床面Ｆに接地させる付勢手段１５とが設けられている。【選択図】        図１
2005195513.tif 000002
【特許請求の範囲】
【請求項１】
載置物を使用可能な状態で載置する載置トレイにおいて、載置物を直接載置するトレイ本体と、載置物を載置した状態でトレイ本体を走行可能な状態で支持する走行輪と、トレイ本体に設定荷重以上の負荷が掛かるとトレイ本体を押し下げて床面に接地させる付勢手段とを備えていることを特徴とする走行式載置トレイ。
【請求項２】
請求項１に記載の走行式載置トレイにおいて、トレイ本体の手前側には引出し用の取手が設けられており、トレイ本体の底面にはトレイ本体が床面に接地した時に作用する摩擦パッドが設けられていることを特徴とする走行式載置トレイ。
【請求項３】
請求項１または２に記載の走行式載置トレイにおいて、載置物は体重計であることを特徴とする走行式載置トレイ。
【請求項４】
床面側に位置する基体部と、計量部を挟んで基体部の上面を覆うように昇降自在に設けられるカバー部とを備える体重計において、基体部には走行可能な状態で体重計を支持する走行輪と、体重計に設定荷重以上の負荷が掛かると体重計を押し下げて床面に接地させる付勢手段とが設けられていることを特徴とする走行式体重計。
【請求項５】
請求項４に記載の走行式体重計において、体重計の手前側には引出し用の取手が設けられており、基体部の底面には、体重計が床面に接地したときに作用する脚部が設けられていることを特徴とする走行式体重計。
【請求項６】
請求項５に記載の走行式体重計において、走行輪は脚部に対して設けられていることを特徴とする走行式体重計。
【発明の詳細な説明】
【技術分野】
【０００１】
本発明は、例えば家庭用として広く普及している小型の体重計を使用可能な状態で載置する走行可能な載置トレイ及び走行機能を備えた体重計に関するものである。
【背景技術】
【０００２】
俗に「ヘルスメーター」と呼ばれている家庭用の体重計は比較的小型で偏平に形成されており、洗面台の蹴込み部分の空スペース等を利用して収納され、使用時に引き出して使用されることが多い。
しかし、比較的小型で軽量に形成されている体重計といっても、これを引き出すには、腰を屈めて体重計を〓んで引き出さなくてはならず、面倒であり、特にお年寄りには大変な作業になっていた。
【０００３】
また、体重計自体に走行輪を設ければ、体重計の移動が容易になるが、体重測定に際して体重計に載った時の安定性が損なわれ、体重計の移動に伴って計測者が転倒し、怪我をすることも予想され、安全対策上好ましくない。
また、市場に流通している体重計、あるいは既に所有している体重計をそのまま使用して、体重計に上記走行機能を付加できる載置トレイ等があれば便利であるが、そのような走行機能を備える載置トレイは存在していなかった。
【発明の開示】
【発明が解決しようとする課題】
【０００４】
本発明は、上記従来の問題点を踏まえてなされたものであって、出し入れが容易で使用時の安定性も良好な安価で使い勝っての良い走行式載置トレイ及び走行式体重計を提供することを課題とするものである。
【課題を解決するための手段】
【０００５】
上記課題を解決するために請求項１に記載の発明は、載置物を使用可能な状態で載置する載置トレイにおいて、載置物を直接載置するトレイ本体と、載置物を載置した状態でトレイ本体を走行可能な状態で支持する走行輪と、トレイ本体に設定荷重以上の負荷が掛かるとトレイ本体を押し下げて床面に接地させる付勢手段とを備えていることを特徴とする走行式載置トレイである。
【０００６】
請求項２に記載の発明は、請求項１に記載の走行式載置トレイにおいて、トレイ本体の手前側には引出し用の取手が設けられており、トレイ本体の底面にはトレイ本体が床面に接地した時に作用する摩擦パッドが設けられていることを特徴とする走行式載置トレイである。
【０００７】
請求項３に記載の発明は、請求項１または２に記載の走行式載置トレイにおいて、載置物は体重計であることを特徴とする走行式載置トレイである。
【０００８】
請求項４に記載の発明は、床面側に位置する基体部と、計量部を挟んで基体部の上面を覆うように昇降自在に設けられるカバー部とを備える体重計において、基体部には走行可能な状態で体重計を支持する走行輪と、体重計に設定荷重以上の負荷が掛かると体重計を押し下げて床面に接地させる付勢手段とが設けられていることを特徴とする走行式体重計である。
【０００９】
請求項５に記載の発明は、請求項４に記載の走行式体重計において、体重計の手前側には引出し用の取手が設けられており、基体部の底面には、体重計が床面に接地したときに作用する脚部が設けられていることを特徴とする走行式体重計である。
【００１０】
請求項６に記載の発明は、請求項５に記載の走行式体重計において、走行輪は脚部に対して設けられていることを特徴とする走行式体重計である。
【発明の効果】
【００１１】
本発明の走行式載置トレイによれば、市場に流通している体重計、あるいは既に所有している体重計をそのまま使用して、その体重計に走行機能を付与することができるから、体重計の出し入れが容易になる。また設定荷重以上の負荷が掛かると、トレイ本体が床面に接地するから、使用時の安定性も確保されている。
また本発明の走行式体重計によれば、体重計自体に走行機能が付加されているから、体重計の出し入れ、取り扱いが容易になる。また設定荷重以上の負荷が掛かると、体重計底面が床面に接地するから、使用時の安定性も確保されている。
【発明を実施するための最良の形態】
【００１２】
以下、図示の実施例を例にとって、本発明の走行式載置トレイ及び走行式体重計を実施するための最良の形態について説明する。
実施例１では本発明の走行式載置トレイを実施するための最良の形態、実施例２では本発明の走行式体重計を実施するための最良の形態をそれぞれ示している。図１は実施例１に係る走行式載置トレイを示す分解斜視図、図２は同上、平面図である。図３は同上、設定荷重以上の負荷が掛かる前（ａ）と、負荷が掛かった場合（ｂ）を対比して示す縦断正面図である。また図４は実施例１に係る走行式載置トレイを示す側面図、図５は同上、底面図である。
また図６は実施例２に係る走行式体重計を示す分解斜視図、図７は同上、設定荷重以上の負荷が掛かる前（ａ）と、負荷が掛かった場合（ｂ）を対比して示す縦断正面図である。
【実施例１】
【００１３】
本実施例では載置物Ａとして家庭用の体重計Ｂを例に採り、体重計Ｂを載置するための走行式載置トレイ１の構成及び作動態様について説明する。
走行式載置トレイ１は載置物Ａとしての体重計Ｂを直接載置するトレイ本体３を有している。トレイ本体３は金属製平板を適宜折り曲げることによって形成されており、中央に正面視凹字状をし、実質的にトレイとして機能する載置部５を有し、その左右両端部を外方に向けて水平に、そして下方に向けて垂直に折り曲げることによって収容部７を形成している。
【００１４】
載置部５の載置面は幅３３０ｍｍ、奥行き３５０ｍｍに一例として形成されており、この種の市販の体重計Ｂのほとんどのものが載置できる大きさになっている。また図５に示すように載置部５の裏面には４枚の摩擦パッド９が貼設されていて、トレイ本体３が床面Ｆに接地した際、床面Ｆを傷付けることなく、また床面Ｆ上を滑ることのないようにその摩擦力によって保持している。
また載置部５の手前側には一例として丸棒状の部材を凹字状に折り曲げることによって形成される取手１１が設けられている。取手１１の左右の基端部は載置部５の左右に立ち上げられた側板部の外側面に固定され、図４に示すように取手１１の先端が幾分下方に向けて傾斜するように設けられている。
【００１５】
収容部７には下方に向けて支持ピン１３が前後左右に２本ずつ計８本設けられている。それぞれの支持ピン１３には付勢手段として圧縮コイルスプリング１５が縮設状態で外嵌めされており、その下端は走行輪１７を回転自在に保持する保持ブラケット１９を貫通した後かしめられ、抜け止め処理されている。
保持ブラケット１９は金属製平板を正面視門型に折り曲げることによって形成されており、中央の天板部には上記支持ピン１３を摺動可能な状態で受け入れることができる貫通穴が設けられている。
【００１６】
また保持ブラケット１９における左右の翼板の中央部下方に車軸２１が水平に架設されており、この車軸２１に対して回転自在に走行輪１７が設けられている。圧縮コイルスプリング１５と支持ピン１３の長さによって設定される走行輪１７の出没ストロークは、圧縮コイルスプリング１５に作用する荷重が一例として６ｋｇの設定荷重以上となった時、図３（ｂ）に示すようにトレイ本体３を押し下げて床面Ｆに設置し、上記設定荷重に満たない時は、図３（ａ）に示すようにトレイ本体３の底面より下方に走行輪１７が突出した状態になるような範囲で設定されている。
【００１７】
次にこのようにして構成される実施例１に係る走行式載置トレイ１の作動態様を（１）設定荷重以上の負荷が掛かる前と、（２）設定荷重以上の負荷が掛かった場合とに分けて説明する。
（１）設定荷重以上の負荷が掛かる前（図３（ａ）参照）
設定荷重以上の負荷が掛かる前は、圧縮コイルスプリング１５による圧縮力のみによってトレイ本体３が保持されている状態であり、図３（ａ）に示すように走行輪１７はトレイ本体３の底面より下方に突出した状態、即ちトレイ本体３と床面Ｆとの間には間隙部２３が形成されている状態になっている。
【００１８】
従ってこの状態では走行輪１７が回転可能であり、走行式載置トレイ１を自由に出し入れすることが可能である。また実施例１に係る走行式載置トレイ１には、取手１１が設けられており、計測者がこの取手１１を持って、あるいは足で引掛けて引き出し、押し込むことが可能であるから走行式載置トレイ１ないし走行式載置トレイ１に載置された体重計Ｂを比較的容易に出し入れできるようになっている。
【００１９】
（２）設定荷重以上の負荷が掛かった場合（図３（ｂ）参照）
設定荷重以上の負荷が掛かった場合は、圧縮コイルスプリング１５による圧縮力のみによってはトレイ本体３を保持できず、図３（ｂ）に示すように走行輪１７はトレイ本体３の底面より上方に格納された状態、即ちトレイ本体３の底面が床面Ｆに接地した状態になっている。
従ってこの状態では走行輪１７は回転することができず、走行式載置トレイ１は床面Ｆに対して固定状態で載置された状態になっている。また本実施例１に係る走行式載置トレイ１には、摩擦パッド９が設けられているから、床面Ｆに傷を付けたり、使用時に走行式載置トレイ１が移動して使用者が転倒する等のおそれも回避されている。
【実施例２】
【００２０】
本実施例では家庭用として広く普及している比較的小型で偏平なタイプの体重計に適用した場合の構成及び作動態様について説明する。
本実施例に掛かる走行式体重計３１は、図６、７に示すように床面Ｆ側に位置する基体部３３と、計量部３５を挟んで基体部３３の上面を覆うように昇降自在に設けられるカバー部３７とを有している。
また基体部３３の底面隅部には基体部３３の底面より幾分突出した状態で脚部３９が４脚設けられている。また脚部３９には走行可能な状態で走行式体重計３１を支持する走行輪１７と、走行式体重計３１に設定荷重以上の負荷が掛かると走行式体重計３１を押し下げて床面Ｆに接地させる付勢手段としての圧縮コイルスプリング１５とが設けられている。
【００２１】
脚部３９は実施例１における摩擦パッド９と同様の作用を奏する部材で、走行式体重計３１が床面Ｆに接地した際、床面Ｆを傷付けることなく、また床面Ｆ上を滑ることのないようにその摩擦力によって保持している。
また走行式体重計３１における基体部３３には、手前側に実施例１と同様の取手１１が設けられており、走行式体重計３１の出し入れを容易にしている。また走行輪１７と圧縮コイルスプリング１５の構成も実施例１と同様であるので、ここでの説明は省略する。
【００２２】
次にこのようにして構成される実施例２に係る走行式体重計３１の作動態様を（１）設定荷重以上の負荷が掛かる前と、（２）設定荷重以上の負荷が掛かった場合とに分けて説明する。
（１）設定荷重以上の負荷が掛かる前（図７（ａ）参照）
設定荷重以上の負荷が掛かる前は、圧縮コイルスプリング１５による圧縮力のみによって走行式体重計３１が保持されている状態であり、図７（ａ）に示すように走行輪１７は脚部３９の底面より下方に突出した状態、即ち脚部３９と床面Ｆとの間には間隙部４１が形成されている状態になっている。
【００２３】
従ってこの状態では走行輪１７が回転可能であり、走行式体重計３１を自由に出し入れすることが可能である。また実施例２に係る走行式体重計３１には、取手１１が設けられており、使用者がこの取手１１を持って、あるいは足で引掛けて引き出し、押し込むことが可能であるから走行式体重計３１を比較的容易に出し入れできるようになっている。
【００２４】
（２）設定荷重以上の負荷が掛かった場合（図７（ｂ）参照）
設定荷重以上の負荷が掛かった場合は、圧縮コイルスプリング１５による圧縮力のみによっては走行式体重計３１を保持できず、図７（ｂ）に示すように走行輪１７は脚部３９の底面より上方に格納された状態、即ち走行式体重計３１の底面が床面Ｆに接地した状態になっている。
従ってこの状態では走行輪１７は回転することができず、走行式体重計３１は床面Ｆに対して固定状態で載置された状態になっている。
【００２５】
以上、本発明を実施するための最良の形態、その具体的実施例について詳述してきたが、具体的な構成はこれらの形態や実施例に限られるものではなく、本発明の要旨を逸脱しない範囲における設計の変更などがあっても本発明に含まれる。
例えば、走行輪１７としては、固定キャスタタイプのものの他、その一部あるいは全部をフリーキャスタタイプのものに置き換えたもの、あるいは車輪タイプのものの他、ローラ状のものや球体状のものであってもよい。
また付勢手段としては、圧縮コイルスプリング１５の他、板バネ状のものやトーションバネを利用したもの、その他エアダンパ等を利用したものであってもよい。また付勢手段の付勢力は付勢手段の設置個数や、トレイ本体３ないし走行式体重計３１に掛かる負荷の大きさ等によって適宜調整可能であり、付勢力を調整し得る構成を備えたものであっても構わない。
この他、走行式載置トレイ１におけるトレイ本体３の載置部５にマグネット板等を設けておき、載置部５上に載置する体重計Ｂ等の載置物Ａを磁力等によって固定するようにすることも可能である。
【図面の簡単な説明】
【００２６】
【図１】実施例１に係る走行式載置トレイを示す分解斜視図である。
【図２】同上、平面図である。
【図３】同上、設定荷重以上の負荷が掛かる前（ａ）と、負荷が掛かった場合（ｂ）を対比して示す縦断正面図である。
【図４】実施例１に係る走行式載置トレイを示す側断面図である。
【図５】同上、底面図である。
【図６】実施例２に係る走行式体重計を示す分解斜視図である。
【図７】同上、設定荷重以上の負荷が掛かる前（ａ）と、負荷が掛かった場合（ｂ）を対比して示す縦断正面図である。
【符号の説明】
【００２７】
１    走行式載置トレイ          ３    トレイ本体
５    載置部                    ７    収容部
９    摩擦パッド              １１    取手
１３    支持ピン                １５    圧縮コイルスプリング（付勢手段）
１７    走行輪                  １９    保持ブラケット
２１    車軸                    ２３    間隙部
３１    走行式体重計            ３３    基体部
３５    計量部                  ３７    カバー部
３９    脚部                    ４１    間隙部
Ａ    載置部                    Ｂ    体重計
Ｆ    床面
【図１】
2005195513.tif 000003
【図２】
2005195513.tif 000004
【図３】
2005195513.tif 000005
【図４】
2005195513.tif 000006
【図５】
2005195513.tif 000007
【図６】
2005195513.tif 000008
【図７】
2005195513.tif 000009